(57)【要約】  ガスケット（２００）は、ＰＤＰ（１１０）の電極面（１１１）に対向するＰＤＰ側面（２１１）、およびシャーシ（１３０）の接地電極面（１３１）に対向するシャーシ側面（２１２）を備えた本体部（２１０）と、この本体部（２１０）の一端側からフロントケース（１２０）の内面側に立ち上がる突出部（２２０）と、本体部（２１０）のＰＤＰ側面（２１１）、接続面（２１３）、およびシャーシ側面（２１２）を覆って連続形成される導電繊維部材（２３０）と、を具備した。
2007113993.tif 000002
【特許請求の範囲】
【請求項１】
ケース体の内部に配置される電子部品に電気的に接続され前記ケース体の一面に対向する第一対向面を有する電子部品接続部材と、前記ケース体および前記電子部品接続部材の間に設けられて、前記電子部品接続部材の前記第一対向面に対向する第二対向面を有する導電性の導電部材と、を電気的に接続する導通装置であって、
弾性を有する素材により、前記電子部品接続部材の前記第一対向面および前記導電部材の第二対向面にそれぞれ略対向する一対の面を有する形状に形成された略板状の本体部と、
弾性を有する素材により、前記本体部に一体的に設けられるとともに、前記本体部の一端側から前記ケース体の前記一面側に突出し、突出先端部が前記ケース体の前記一面に当接可能な突出部と、
導電性および可撓性を有する素材により、前記本体部の前記一対の面にそれぞれ設けられる導電可撓部と、
前記一対の面に設けられる前記導電可撓部を電気的に接続する接続部と、
を具備したことを特徴とした導通装置。
【請求項２】
請求項１に記載の導通装置であって、
前記本体部の前記一対の面のうち前記電子部品接続部材の前記第一対向面に対向する面の一部は、前記第一対向面に向かって突出して形成された
ことを特徴とした導通装置。
【請求項３】
請求項１または請求項２に記載の導通装置であって、
前記一対の導電可撓部および前記接続部は、一体形成された
ことを特徴とした導通装置。
【請求項４】
ケース体と、
このケース体の内部に配置される電子部品と、
この電子部品に電気的に接続され前記ケース体の一面に対向する第一対向面を有する電子部品接続部材と、
前記ケース体および前記電子部品接続部材の間に設けられ、前記第一対向面に対向する第二対向面を有する導電性の導電部材と、
前記導電部材および前記電子部品接続部材を電気的に接続する請求項１ないし請求項３のいずれかに記載の導通装置と、
を具備したことを特徴とした電子機器。
【請求項５】
請求項４に記載の電子機器であって、
前記電子部品は、画像信号に応じて所定の画像を表示するディスプレイであり、
前記ケース体は、前記ディスプレイが外部から視認可能な開口部を有し、
前記導通装置は、前記導電可撓部が前記ディスプレイに電気的に接続される電子部品接続部および前記導電部材を電気的に接続するとともに、前記突出部の突出先端部が前記ケース体の開口部近傍に当接されるように配置される
ことを特徴とした電子機器。
【請求項６】
請求項５に記載の電子機器であって、
前記導通装置は、前記開口部に沿って、前記突出部が前記開口部に近接する側に、かつ前記本体部が前記開口部から離隔する側に位置するように配置され、前記開口部から視認可能な側面が当該電子機器に対応して装飾された
ことを特徴とした電子機器。
【請求項７】
請求項６に記載の電子機器であって、
前記導通装置は、前記開口部の全周に亘って設けられた
ことを特徴とした電子機器。
【発明の詳細な説明】
【技術分野】
【０００１】
本発明は、電気を導通する導通装置、および電子機器に関し、特にＰＤＰの電磁波を接地する導通装置に関する。
【背景技術】
【０００２】
従来、ＰＤＰ（プラズマディスプレイパネル）などの電子部品に信号線を接続するためのコネクタを接地する構成が知られている（例えば、特許文献１参照）。【０００３】
この特許文献１に記載のものは、ＰＤＰのグラウンド層とシールドケースとをシールドガスケットで接続し、ＰＤＰの電磁波の漏洩を防止するＰＤＰ表示装置である。このＰＤＰ表示装置では、ＰＤＰに対向して導電性スクリーンフィルタを設けられ、このフィルタは、ケースに支持されている。【０００４】
しかしながら、上記特許文献１に記載のような従来の構成では、フィルタが設けられているため、厚み寸法が増大し、製造工程も複雑になるという問題がある。このような問題に対して、フィルタを取り除いて、ケースの開口部から直接ＰＤＰの表面が露出する構成がある。この場合、ケースとＰＤＰとの接触を防止するために、これらのケースとＰＤＰとの間にクッションゴムを配置する構成が知られている。【０００５】
【特許文献１】特開平１１−２１９１２２号公報（第４頁ないし第５頁、図２参照）
【発明の開示】
【発明が解決しようとする課題】
【０００６】
ところで、上記のように、ケースとＰＤＰとの間にクッションゴムを配置する構成では、クッションゴムとシールドガスケットとの間に所定間隔の隙間を設ける必要がある。すなわち、ケースとシールとケースとの成形バランスや、組み立て時の遊び寸法の確保のため、クッションゴムをシールドガスケットから所定の寸法だけ離隔させて配置させる必要がある。したがって、この隙間寸法分だけ、ＰＤＰの表示領域の面積が小さくなってしまう。また、クッションゴムと、シールドガスケットとをそれぞれＰＤＰとケースとの間、ＰＤＰとシールドケースとの間に設ける必要があり、部品点数が増大して構成が複雑になり、製造性も悪化するという問題が挙げられる。【０００７】
本発明では、上記のような問題に鑑み、簡単な構成で適切に導通させる導通装置、およびこの導通装置を備えた電子機器を提供することを１つの目的とする。
【課題を解決するための手段】
【０００８】
本発明の導通装置は、ケース体の内部に配置される電子部品に電気的に接続され前記ケース体の一面に対向する第一対向面を有する電子部品接続部材と、前記ケース体および前記電子部品接続部材の間に設けられて、前記電子部品接続部材の前記第一対向面に対向する第二対向面を有する導電性の導電部材と、を電気的に接続する導通装置であって、弾性を有する素材により、前記電子部品接続部材の前記第一対向面および前記導電部材の第二対向面にそれぞれ略対向する一対の面を有する形状に形成された略板状の本体部と、弾性を有する素材により、前記本体部に一体的に設けられるとともに、前記本体部の一端側から前記ケース体の前記一面側に突出し、突出先端部が前記ケース体の前記一面に当接可能な突出部と、導電性および可撓性を有する素材により、前記本体部の前記一対の面にそれぞれ設けられる導電可撓部と、前記一対の面に設けられる前記導電可撓部を電気的に接続する接続部と、を具備したことを特徴とした導通装置である。【０００９】
本発明の電子機器は、ケース体と、このケース体の内部に配置される電子部品と、この電子部品に電気的に接続され前記ケース体の一面に対向する第一対向面を有する電子部品接続部材と、前記ケース体および前記電子部品接続部材の間に設けられ、前記第一対向面に対向する第二対向面を有する導電性の導電部材と、前記導電部材および前記電子部品接続部材を電気的に接続する前述した本発明の導通装置と、を具備したことを特徴とした電子機器である。
【図面の簡単な説明】
【００１０】
【図１】本発明の一実施形態に係るＰＤＰの要部の概略構成を示す断面図である。
【図２】ガスケットの概略構成を示す斜視図である。
【符号の説明】
【００１１】
１００…電子機器としてのＰＤＰ表示装置
１１０…電子部品およびディスプレイとしてのＰＤＰ
１１１…電子部品接続部材としてのＰＤＰ電極
１１３…第一対向面としての電極面
１２０…ケース体としてのフロントケース
１２１…開口部
１２４…ケース体の一面としての内面
１３０…導電部材としてのシャーシ
１３１…第二対向面としての接地電極面
２００…導通装置としてのガスケット
２１０…本体部
２２０…突出部
２２１…突出先端部
２２２…装飾面
２３０…導電可撓部、および接続部を構成する導電繊維部材
【発明を実施するための最良の形態】
【００１２】
以下、本発明の一実施形態について図面に基づいて説明する。なお、本実施形態では、電子機器としてのプラズマディスプレイパネル（以下、ＰＤＰと称す）を例示して説明するが、他の電子機器を対象とすることができる。図１は、本発明の一実施形態に係るＰＤＰの要部の概略構成を示す断面図である。図２は、ガスケットの概略構成を示す斜視図である。【００１３】
〔プラズマディスプレイパネルの構成〕
図１において、符号１００は電子機器としてのＰＤＰ表示装置で、このＰＤＰ表示装置１００は、例えば略平面長方形状の電子部品およびディスプレイとしてのＰＤＰ（プラズマディスプレイパネル）１１０にプラズマ放電による発光を利用してＰＤＰ１１０に画像を表示したり、図示しない音声出力部から音声を出力したりする。ＰＤＰ表示装置１００は、フロントケース１２０を備えている。【００１４】
このフロントケース１２０は、例えば導電性を有さない材料により略薄箱状に形成されている。そして、このフロントケース１２０は、一面に開口部１２１が形成されており、この開口部１２１にＰＤＰの表示領域が臨んで設けられている。また、この開口部１２１は、開口縁に沿ってフロントケース１２０の内部側、すなわちＰＤＰ１１０側に突出するフランジ部１２２が形成されている。また、このフランジ部１２２の突出先端とＰＤＰ１１０との間には所定寸法の隙間１２３が設けられており、フランジ部１２２とＰＤＰ１１０の接触を防止している。また、フロントケース１２０には、導電部材としてのシャーシ１３０と、導通装置としてのガスケット２００と、電子部品としてのＰＤＰ１１０と、図示しない処理部と、音声出力部と、チューナと、などが設けられている。【００１５】
処理部は、例えば、音声出力部、チューナ、およびＰＤＰ１１０などと電気的に接続される図示しない回路基板に設けられている。この処理部は、チューナからの信号を取得して、この信号に基づく画像をＰＤＰ１１０で表示させる。また、チューナからの信号に基づく音声を音声出力部で出力させる。音声出力部は、フロントケース１２０の例えば前面下方から臨んで設けられ、処理部の制御により音声を出力する。チューナは、例えば図示しないアンテナに接続され、このアンテナで受信された信号を所定の信号に変換して、処理部へ出力する。【００１６】
ＰＤＰ１１０は、前記したようにフロントケース１２０の開口部１２１に臨んで、この開口部１２１を閉塞する状態に設けられている。このＰＤＰ１１０は、表面に電子部品接続部材としてのＰＤＰ電極１１１が設けられている。さらに、このＰＤＰ電極１１１の表面で、開口部１２１から外部の露出する表示領域には保護フィルム１１２が設けられている。ここで、ＰＤＰ電極１１１は、保護フィルム１１２の外周縁から所定寸法だけＰＤＰ１１０の外周縁側に露出し、第一対向面としての電極面１１３を形成している。そして、このＰＤＰ１１０は、ＰＤＰ電極１１１に接続される図示しない処理部の制御により画像を表示する。【００１７】
シャーシ１３０は、導電性を有する材料により、ここでは図示しないが例えば上面が開口された略箱状に形成されている。このシャーシ１３０は、フロントケース１２０の内部に配置され、接地されている。また、このシャーシ１３０は、ＰＤＰ１１０の電極面１１３に対向する第二対向面としての接地電極面１３１を備えている。また、シャーシ１３０には、ＰＤＰ１１０を取り付ける図示しないＰＤＰ取付部、処理部が設けられた回路基板を取り付ける図示しない基板取付部などを備え、ＰＤＰ１１０や回路基板などがこれらの取付部に固定されている。【００１８】
ガスケット２００は、断面略Ｌ字状で、フロントケース１２０の開口部１２１に沿う長手状に形成されている。このガスケット２００は、フロントケース１２０の開口部１２１の全周に亘って配置されている。そして、このガスケット２００は、図２に示すように、本体部２１０と、本体部２１０の一端側から立ち上がる突出部２２０と、導電繊維部材２３０と、を備えている。また、ガスケット２００は、本体部２１０がＰＤＰ１１０の電極面１１３およびシャーシ１３０の接地電極面１３１に挟み込まれる状態で、かつ突出部２２０の突出先端部２２１がフロントケース１２０の内面１２４とＰＤＰ１１０に挟み込まれる状態で取り付けられている。【００１９】
本体部２１０は、弾性を有し、導電性を有しない例えば合成樹脂によりスポンジ状に、かつ略板状に形成されている。この本体部２１０は、ＰＤＰ１１０に対向するＰＤＰ側面２１１と、シャーシ１３０に対向するシャーシ側面２１２と、突出部２２０が設けられる一端側とは反対側で、ＰＤＰ側面２１１およびシャーシ側面２１２に隣接する接続面２１３と、を備えている。ＰＤＰ側面２１１は、接続面２１３と隣接する一端側から、突出部２２０が設けられる他端側に亘って断面略円弧状に形成されるとともに、中心部がＰＤＰ１１０側に円弧状に突出する凸部２１１Ａを備えている。この凸部２１１Ａは、ガスケット２００を設置する際に、ＰＤＰ１１０の電極面１１３に押圧されて弾性変形する。また、上記のように、本体部２１０は、弾性を有するスポンジ状部材にて形成されているため、凸部２１１Ａが押圧されて弾性変形すると、反力により、ＰＤＰ側面２１１およびシャーシ側面２１２をそれぞれ電極面１１３および接地電極面１３１側に付勢する。これにより、本体部２１０のＰＤＰ側面２１１およびシャーシ側面２１２が電極面１１３および接地電極面１３１に押し付けられて密着性が向上する。なお、凸部２１１Ａの形状は、上記のような略円弧状に限らず、その他の自由曲面形状に突出するものであってもよく、ＰＤＰ側面２１１の接続面２１３と隣接する一端側から、突出部２２０が設けられる他端側に亘る一部がＰＤＰ１１０側に突出する形状であってもよい。【００２０】
突出部２２０は、ガスケット２００の長手方向に沿う本体部２１０の接続面２１３とは反対側の一端縁に設けられている。この突出部２２０は、本体部２１０と同一素材、すなわち、弾性を有するスポンジ状部材にて、本体部２１０と一体的に形成されている。この突出部２２０の突出先端部２２１は、フロントケース１２０の内面１２４に対向する略平面状のケース当接面２２１Ａを備えている。そして、ガスケット２００の取り付け時に、この突出先端部２２１のケース当接面２２１Ａがフロントケース１２０の内面１２４に当接する。これにより、例えばフロントケース１２０の取り付け時に、フロントケース１２０がＰＤＰ１１０側に押し込まれても、弾性を有する突出部２２０の付勢力によりフロントケース１２０を押し返すことが可能となり、開口部１２１のフランジ部１２２がＰＤＰ１１０の表面に接触するのを防止する。なお、突出先端部２２１のケース当接面２２１Ａは、上記のような略平面状に限らず、例えば円弧状や波形形状など、他の形状であってもよい。【００２１】
また、突出部２２０には、ケース当接面２２１Ａのシャーシ側面２１２が設けられる側とは反対側となる側面に、装飾面２２２が形成されている。この装飾面２２２は、ガスケット２００をフロントケース１２０およびＰＤＰ１１０の間に挟みこんだ際に、ＰＤＰ１１０とフランジ部１２２との隙間から視認可能な部位であり、例えばフロントケース１２０の色彩と同一色彩に着色されている。なお、装飾面２２２をフロントケース１２０と同一色彩に着色する例を示したが、これに限らず、他の色に着色されていてもよく、また、ガスケット２００を形成するスポンジ状部材の成形時に着色料を添加してフロントケース１２０と調和する色彩にする構成としてもよい。【００２２】
導電繊維部材２３０は、導電性および可撓性を有する繊維により帯状に形成された帯状導電可撓部材２３１により、本体部２１０のＰＤＰ側面２１１、本体部２１０の接続面２１３、および本体部２１０のシャーシ側面２１２を覆うことで形成されている。この導電繊維部材２３０において、本体部２１０のＰＤＰ側面２１１、およびシャーシ側面２１２を覆う部分が本発明の導電可撓部を構成し、本体部２１０の接続面２１３に覆われる部分が本発明の接続部を構成する。この導電繊維部材２３０は、例えば接着剤などにより本体部２１０に貼付されている。また、シャーシ側面２１２に貼り付けられる導電繊維部材２３０には、ガスケット２００の長手方向に沿って、接着部２３２が設けられている。この接着部２３２は、シャーシ１３０の接地電極面１３１に貼り付けられ、ガスケット２００をシャーシ１３０に固定する。【００２３】
〔ガスケットの取り付け動作〕
次に、ガスケット２００の取り付け動作について説明する。【００２４】
まず、ガスケット２００を、シャーシ１３０の接地電極面１３１に固定する。すなわち、ガスケット２００の本体部２１０のシャーシ側面２１２に貼付された接着部２３２をシャーシ１３０の接地電極面１３１に接着する。この時、図１に示すように、ガスケット２００の突出部２２０の本体部２１０側の側面がシャーシ１３０の端縁部１３２に当接するとともに、突出部２２０がシャーシ１３０の端縁部１３２からフロントケース１２０側に突出するようにガスケット２００を取り付ける。【００２５】
次に、ＰＤＰ１１０を、図１に示すように、ＰＤＰ電極１１１の電極面１１３がシャーシ１３０の接地電極面１３１に対向するようにして、ＰＤＰ取付部に取り付ける。この時、ＰＤＰ１１０の電極面１１３でガスケット２００をシャーシ１３０に押し付けて、ガスケット２００の本体部２１０のＰＤＰ側面２１１に設けられる凸部２１１Ａを押しつぶすようにしてＰＤＰ１１０を取り付ける。これにより、ガスケット２００の凸部２１１Ａがシャーシ側面２１２側に撓み、本体部２１０の弾性力により、ＰＤＰ側面２１１が電極面１１３側に、またシャーシ側面２１２が接地電極面側に付勢される。したがって、ＰＤＰ側面２１１およびシャーシ側面２１２に貼付された導電繊維部材２３０がそれぞれ電極面１１３および接地電極面１３１に良好に密着する。【００２６】
この後、シャーシ１３０をフロントケース１２０に取り付ける。この時、ＰＤＰ１１０とフロントケース１２０のフランジ部１２２の先端との間に所定の隙間１２３が設けられるように、ガスケット２００の突出部２２０の突出先端部２２１をフロントケース１２０の内面１２４に当接させる。これにより、フロントケース１２０が取り付け時の衝撃などによりＰＤＰ１１０側に湾曲しても、突出部２２０にてフロントケース１２０の内面１２４を押し返してフランジ部１２２の先端がＰＤＰ１１０に接触することがない。【００２７】
〔ＰＤＰ表示装置の作用効果〕
上述したように、上記実施形態のＰＤＰ表示装置１００では、ガスケット２００は、ＰＤＰ１１０の電極面１１３に対向するＰＤＰ側面２１１、およびシャーシ１３０の接地電極面１３１に対向するシャーシ側面２１２を備えた本体部２１０と、この本体部２１０の一端側からフロントケース１２０の内面１２４側に立ち上がる突出部２２０とを備えている。そして、本体部２１０には、ＰＤＰ側面２１１、接続面２１３、およびシャーシ側面２１２を覆う連続形成された導電繊維部材２３０が設けられている。【００２８】
このため、ＰＤＰ側面２１１をＰＤＰ１１０の電極面１１３に当接させて、シャーシ側面２１２をシャーシ１３０の接地電極面１３１に当接させることで、導電繊維部材２３０を介してＰＤＰ電極１１１と、シャーシ１３０の接地電極面１３１を電気的に接続することができる。したがって、ＰＤＰ１１０を接地することができ、ＰＤＰ１１０にて生じる電磁波を良好に除去することができる。【００２９】
また、ガスケット２００の本体部２１０に突出部２２０が一体化されて設けられ、フロントケース１２０とＰＤＰ１１０との間にこの突出部２２０が設けられている。このため、突出部２２０の突出先端部２２１がフロントケース１２０の内面１２４に当接されることで、フロントケース１２０の位置を規制することができる。すなわち、フロントケース１２０がＰＤＰ１１０に近接した場合でも、突出部２２０の突出先端部２２１がフロントケース１２０の内面１２４に当接し、フロントケース１２０を外方に付勢するため、フランジ部１２２の先端がＰＤＰ１１０の表面に接触することがなく、フロントケース１２０とＰＤＰ１１０との接触によるＰＤＰ１１０の損傷や、異音などを防止することができる。【００３０】
さらに、フロントケース１２０の移動を規制する他のクッションゴムなどの緩衝部材が不要となり、部品点数を削減することができる。さらには、このようなクッションゴムが不要となるため、フロントケース１２０のフランジ部１２２をシャーシ１３０側に近接させることができ、開口部１２１の開口面積を大きくすることができる。よって、ＰＤＰ１１０の表示領域をより大きくすることができ、フロントケース１２０を小型化することもできる。よって、ＰＤＰ表示装置１００のデザイン性を向上させることができる。【００３１】
また、ガスケット２００の突出部２２０の側面に装飾面２２２が設けられている。このため、装飾面２２２を例えばフロントケース１２０の色彩に対応して略同一色に装飾することで、フロントケース１２０のフランジ部１２２とＰＤＰ１１０との間の隙間１２３から視認可能な部分の外観を良好にすることができる。【００３２】
さらに、ガスケット２００の本体部２１０のＰＤＰ側面２１１には、ＰＤＰ１１０に向かって突出する凸部２１１Ａが設けられている。このため、この凸部２１１Ａでは、厚み寸法が大きく肉厚になる。したがって、ガスケット２００の取り付け時に、ＰＤＰ１１０を押し付けてこの凸部２１１Ａの肉厚部分を押圧することで、本体部２１０を容易に変形することができる。よって、ガスケット２００の取り付け時に、過剰な力を加えなくとも容易にガスケット２００を弾性変形させることができるため、ＰＤＰ１１０の損傷を防止することができ、組み立て性をも良好にすることができる。【００３３】
さらに、本体部２１０は、弾性を有するスポンジ状部材にて形成されているので、凸部２１１Ａを押圧して押しつぶすことで、ＰＤＰ側面２１１およびシャーシ側面２１２を外方に押し戻す付勢力が生じる。したがって、ＰＤＰ側面２１１とＰＤＰ１１０の電極面１１３との密着性、およびシャーシ側面２１２とシャーシ１３０の接地電極面１３１との密着性を良好にすることができ、ＰＤＰ１１０とシャーシ１３０とを良好に電気的に接続することができる。よって、ＰＤＰ１１０の接地精度が向上し、ＰＤＰ１１０にて発生する電磁波を良好に除去することができる。【００３４】
そして、ガスケット２００は、本体部２１０と突出部２２０とが一体形成されているため、ガスケット２００の製造が容易で、製造コストも低減することができる。【００３５】
また、導電繊維部材２３０は、ＰＤＰ側面２１１、接続面２１３、およびシャーシ側面２１２を覆う帯状導電可撓部材２３１により、一体形成されている。したがって、帯状導電可撓部材２３１を、本体部２１０のＰＤＰ側面２１１、接続面２１３、およびシャーシ側面２１２を覆って設けるだけで、容易に導電可撓部および接続部を形成することができ、製造性を良好にすることができる。【００３６】
また、上記のような構成では、ＰＤＰ１１０の表面が開口部から露出されるため、スクリーンフィルタなどを新たに設ける必要がなく、ＰＤＰ表示装置１００の厚み寸法を小さくすることができる。【００３７】
そして、ガスケット２００は、フロントケース１２０の開口部１２１に沿って、この開口部１２１の全周に亘って設けられている。このため、ＰＤＰ１１０の全周に亘って接地され、ＰＤＰ１１０にて生じる電磁波をより良好に除去することができる。【００３８】
〔実施形態の変形〕
なお、本発明は、上述した一実施形態に限定されるものではなく、本発明の目的を達成できる範囲で以下に示される変形をも含むものである。【００３９】
すなわち、ガスケット２００は、本体部２１０と突出部２２０とを同一部材にて一体形成する例を示したが、例えば、別体に設けられたものを一体化する構成としてもよい。この場合、突出部２２０の弾性力を本体部２１０の弾性力よりも大きくすることで、より確実にフロントケース１２０とＰＤＰ１１０との接触を防止することができる。【００４０】
また、導電繊維部材２３０として、帯状導電可撓部材２３１を本体部２１０のＰＤＰ側面２１１、接続面２１３、シャーシ側面２１２を覆うように設ける構成としたが、これに限らない。例えば、ＰＤＰ側面２１１、およびシャーシ側面２１２に帯状導電可撓部材２３１を設け、これらの帯状導電可撓部材２３１を導電性を有する金属線などで接続する構成としてもよい。さらに、本体部２１０を構成するスポンジ状部材を非導電性としたが、導電性を有するスポンジ状部材を用いて本体部２１０を形成してもよい。この構成では、スポンジ状部材が本発明の導電可撓部および接続部を構成するため、導電繊維部材２３０を設ける必要がなく、ガスケット２００の構成をより簡単にできる。【００４１】
さらに、ガスケット２００の装飾面２２２は、フロントケース１２０の色彩と略同一色に設けられている構成を示したが、これに限定されず、例えば、ＰＤＰ表示装置１００のデザインに応じて、装飾面２２２に任意の色を着色する構成としてもよい。また、上記したように、ガスケット２００の本体部２１０および突出部２２０を形成するスポンジ状部材を着色する構成としてもよい。【００４２】
そして、上記実施形態において、本体部２１０のＰＤＰ側面２１１、接続面２１３、およびシャーシ側面２１２に導電繊維部材２３０を設ける構成としたが、ガスケット２００の突出部２２０の突出先端部２２１以外の部分を導電繊維部材２３０で覆う構成としてもよい。この場合、突出部２２０の装飾面２２２に貼付される導電繊維部材２３０を着色する、もしくは導電繊維部材２３０をフロントケース１２０の色彩に対応した色彩に着色することで、隙間１２３から視認される装飾面２２２の外観を良好にすることができる。【００４３】
なお、突出部２２０の突出先端部２２１をも導電繊維部材２３０にて覆う構成も考えられるが、フロントケース１２０と突出先端部２２１が接触する際にフロントケース１２０が損傷したり、削り粉が発生したりするおそれがある。この場合、突出先端部２２１のケース当接面２２１Ａにフロントケース１２０との摩擦力を低減させて、フロントケース１２０の損傷や削り粉の発生を防止するフィルタなどを設ける構成としてもよい。【００４４】
また、ガスケット２００の本体部２１０に凸部２１１Ａを設ける構成としたが、凸部２１１Ａが設けられない、すなわち、ＰＤＰ側面２１１とシャーシ側面２１２とが略平行となる形状に形成されていてもよい。この場合、例えばスポンジ状部材をより柔らかい部材にしたり、本体部２１０の厚み寸法を大きくしたりすることで、ＰＤＰ１１０をシャーシ１３０に取り付ける際の損傷を防止することができる。さらに、ガスケット２００のＰＤＰ側面２１１、およびシャーシ側面２１２の双方に凸部を設ける構成としてもよい。【００４５】
さらには、ガスケット２００のシャーシ側面２１２に貼付される導電繊維部材２３０に接着部２３２を設け、シャーシ１３０にガスケット２００を貼り付けて固定する構成を示したが、例えばＰＤＰ側面２１１に接着部を設け、ＰＤＰ１１０の電極面１１３にガスケット２００を貼り付ける構成としてよい。【００４６】
また、開口部１２１の全周に亘ってガスケット２００が設けられる構成を示したが、これに限らず、開口部１２１に沿った一部、例えば開口部の四隅にガスケット２００が設けられる構成や、所定間隔おきにガスケット２００が設けられる構成としてもよい。【００４７】
さらに、ガスケット２００を取り付ける電子機器としては、ＰＤＰ表示装置１００に限らず、音楽や映像を記録したり再生したりする車載型や設置型の記録装置や再生装置あるいは記録再生装置、パーソナルコンピュータ、携帯電話、テレビ装置、ナビゲーション装置などとしてもよい。【００４８】
〔実施形態の作用効果〕
上述したように、上記実施形態のＰＤＰ表示装置１００では、ガスケット２００は、ＰＤＰ１１０の電極面１１３に対向するＰＤＰ側面２１１、およびシャーシ１３０の接地電極面１３１に対向するシャーシ側面２１２を備えた本体部２１０と、この本体部２１０の一端側からフロントケース１２０の内面１２４側に立ち上がる突出部２２０とを備えている。そして、本体部２１０には、ＰＤＰ側面２１１、接続面２１３、およびシャーシ側面２１２を覆う連続形成された導電繊維部材２３０が設けられている。【００４９】
このため、ＰＤＰ電極１１１と、シャーシ１３０の接地電極面１３１を電気的に接続することができ、ＰＤＰ１１０にて生じる電磁波を良好に除去することができる。また、突出部２２０の突出先端部２２１がフロントケース１２０の内面１２４に当接されることで、フロントケース１２０がＰＤＰ１１０に近接した場合でも、フロントケース１２０を外方に付勢し、フロントケース１２０とＰＤＰ１１０との接触によるＰＤＰ１１０の損傷や、異音などを防止することができる。さらに、フロントケース１２０の移動を規制する他のクッションゴムなどの緩衝部材が不要となり、部品点数を削減してＰＤＰ表示装置１００の構成を簡単にすることができ、さらには、フロントケース１２０の小型化、および開口部１２１の開口面積の拡大によりＰＤＰ表示領域の拡大化を図ることができる。
【産業上の利用可能性】
【００５０】
本発明は、電気を導通する導通装置、および電子機器に関し、特にＰＤＰの電磁波を接地する導通装置として利用できる。
【図１】
2007113993.tif 000003
【図２】
2007113993.tif 000004
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
ケース体と、
このケース体の内部に配置される表示部と、
この表示部に電気的に接続され前記ケース体の一面に対向する第一対向面を有する表示部接続部材と、
前記ケース体および前記表示部接続部材の間に設けられ、前記第一対向面に対向する第二対向面を有する導電性の導電部材と、
前記導電部材および前記表示部接続部材を電気的に接続する導通装置と、
を具備した表示装置であって、
前記導通装置は、弾性を有する素材により、前記表示部接続部材の前記第一対向面および前記導電部材の第二対向面にそれぞれ略対向する一対の面を有する形状に形成された略板状の本体部と、
弾性を有する素材により、前記本体部に一体的に設けられるとともに、前記本体部の一端側から前記ケース体の前記一面側に突出し、突出先端部が前記ケース体の前記一面に当接可能な突出部と、
導電性および可撓性を有する素材により、前記本体部の前記一対の面にそれぞれ設けられる導電可撓部と、
前記一対の面に設けられる前記導電可撓部を電気的に接続する接続部と、
を具備し、
前記ケース体は、前記表示部が外部から視認可能な開口部を有し、
前記導通装置は、前記突出部の突出先端部が前記ケース体の開口部近傍に当接されるように配置される
ことを特徴とした表示装置。
【請求項２】
請求項１に記載の表示装置であって、
前記導通装置は、前記開口部に沿って、前記突出部が前記開口部に近接する側に、かつ前記本体部が前記開口部から離隔する側に位置するように配置され、前記開口部から視認可能な側面が当該表示装置に対応して装飾された
ことを特徴とした表示装置。
【請求項３】
請求項２に記載の表示装置であって、
前記導通装置は、前記開口部の全周に亘って設けられた
ことを特徴とした表示装置。
【請求項４】
請求項１に記載の表示装置であって、
前記導通装置の前記本体部の前記表示部接続部材の前記第一対向面に対向する面の一部は、前記第一対向面に向かって突出して形成された
ことを特徴とした表示装置。
【請求項５】
請求項１に記載の表示装置であって、
前記導通装置の前記一対の導電可撓部および前記接続部は、一体形成された
ことを特徴とした表示装置。
【請求項６】
請求項１に記載の表示装置であって、
前記導通装置の前記本体部は、導電性を有するスポンジ状部材を用いて形成され、前記本体部が前記導電可撓部と前記接続部を構成する
ことを特徴とした表示装置。
【手続補正２】
【補正対象書類名】明細書
【補正対象項目名】全文
【補正方法】変更
【補正の内容】
【発明の詳細な説明】
【技術分野】
【０００１】
本発明は、電気を導通する導通装置を備えた表示装置に関し、特にＰＤＰの電磁波を接地する導通装置を備えた表示装置に関する。
【背景技術】
【０００２】
従来、ＰＤＰ（プラズマディスプレイパネル）などの電子部品に信号線を接続するためのコネクタを接地する構成が知られている（例えば、特許文献１参照）。
【０００３】
この特許文献１に記載のものは、ＰＤＰのグラウンド層とシールドケースとをシールドガスケットで接続し、ＰＤＰの電磁波の漏洩を防止するＰＤＰ表示装置である。このＰＤＰ表示装置では、ＰＤＰに対向して導電性スクリーンフィルタを設けられ、このフィルタは、ケースに支持されている。
【０００４】
しかしながら、上記特許文献１に記載のような従来の構成では、フィルタが設けられているため、厚み寸法が増大し、製造工程も複雑になるという問題がある。このような問題に対して、フィルタを取り除いて、ケースの開口部から直接ＰＤＰの表面が露出する構成がある。この場合、ケースとＰＤＰとの接触を防止するために、これらのケースとＰＤＰとの間にクッションゴムを配置する構成が知られている。
【０００５】
【特許文献１】特開平１１−２１９１２２号公報（第４頁ないし第５頁、図２参照）
【発明の開示】
【発明が解決しようとする課題】
【０００６】
ところで、上記のように、ケースとＰＤＰとの間にクッションゴムを配置する構成では、クッションゴムとシールドガスケットとの間に所定間隔の隙間を設ける必要がある。すなわち、ケースとシールとケースとの成形バランスや、組み立て時の遊び寸法の確保のため、クッションゴムをシールドガスケットから所定の寸法だけ離隔させて配置させる必要がある。したがって、この隙間寸法分だけ、ＰＤＰの表示領域の面積が小さくなってしまう。また、クッションゴムと、シールドガスケットとをそれぞれＰＤＰとケースとの間、ＰＤＰとシールドケースとの間に設ける必要があり、部品点数が増大して構成が複雑になり、製造性も悪化するという問題が挙げられる。
【０００７】
本発明では、上記のような問題に鑑み、簡単な構成で適切に導通させる導通装置を備えた表示装置を提供することを１つの目的とする。
【課題を解決するための手段】
【０００８】
本発明の表示装置は、ケース体と、このケース体の内部に配置される表示部と、この表示部に電気的に接続され前記ケース体の一面に対向する第一対向面を有する表示部接続部材と、前記ケース体および前記表示部接続部材の間に設けられ、前記第一対向面に対向する第二対向面を有する導電性の導電部材と、前記導電部材および前記表示部接続部材を電気的に接続する導通装置と、を具備した表示装置であって、前記導通装置は、弾性を有する素材により、前記表示部接続部材の前記第一対向面および前記導電部材の第二対向面にそれぞれ略対向する一対の面を有する形状に形成された略板状の本体部と、弾性を有する素材により、前記本体部に一体的に設けられるとともに、前記本体部の一端側から前記ケース体の前記一面側に突出し、突出先端部が前記ケース体の前記一面に当接可能な突出部と、導電性および可撓性を有する素材により、前記本体部の前記一対の面にそれぞれ設けられる導電可撓部と、前記一対の面に設けられる前記導電可撓部を電気的に接続する接続部と、を具備し、前記ケース体は、前記表示部が外部から視認可能な開口部を有し、前記導通装置は、前記突出部の突出先端部が前記ケース体の開口部近傍に当接されるように配置されることを特徴とした表示装置。
【発明を実施するための最良の形態】
【０００９】
以下、本発明の一実施形態について図面に基づいて説明する。なお、本実施形態では、表示装置としてのプラズマディスプレイパネル（以下、ＰＤＰと称す）を例示して説明するが、他の表示装置を対象とすることができる。図１は、本発明の一実施形態に係るＰＤＰの要部の概略構成を示す断面図である。図２は、ガスケットの概略構成を示す斜視図である。
【００１０】
〔プラズマディスプレイパネルの構成〕
図１において、符号１００は表示装置としてのＰＤＰ表示装置で、このＰＤＰ表示装置１００は、例えば略平面長方形状の表示部およびディスプレイとしてのＰＤＰ（プラズマディスプレイパネル）１１０にプラズマ放電による発光を利用してＰＤＰ１１０に画像を表示したり、図示しない音声出力部から音声を出力したりする。ＰＤＰ表示装置１００は、ケース体としてのフロントケース１２０を備えている。
【００１１】
このフロントケース１２０は、例えば導電性を有さない材料により略薄箱状に形成されている。そして、このフロントケース１２０は、一面に開口部１２１が形成されており、この開口部１２１にＰＤＰの表示領域が臨んで設けられている。また、この開口部１２１は、開口縁に沿ってフロントケース１２０の内部側、すなわちＰＤＰ１１０側に突出するフランジ部１２２が形成されている。また、このフランジ部１２２の突出先端とＰＤＰ１１０との間には所定寸法の隙間１２３が設けられており、フランジ部１２２とＰＤＰ１１０の接触を防止している。また、フロントケース１２０には、導電部材としてのシャーシ１３０と、導通装置としてのガスケット２００と、表示部としてのＰＤＰ１１０と、図示しない処理部と、音声出力部と、チューナと、などが設けられている。
【００１２】
処理部は、例えば、音声出力部、チューナ、およびＰＤＰ１１０などと電気的に接続される図示しない回路基板に設けられている。この処理部は、チューナからの信号を取得して、この信号に基づく画像をＰＤＰ１１０で表示させる。また、チューナからの信号に基づく音声を音声出力部で出力させる。音声出力部は、フロントケース１２０の例えば前面下方から臨んで設けられ、処理部の制御により音声を出力する。チューナは、例えば図示しないアンテナに接続され、このアンテナで受信された信号を所定の信号に変換して、処理部へ出力する。
【００１３】
ＰＤＰ１１０は、前記したようにフロントケース１２０の開口部１２１に臨んで、この開口部１２１を閉塞する状態に設けられている。このＰＤＰ１１０は、表面に表示部接続部材としてのＰＤＰ電極１１１が設けられている。さらに、このＰＤＰ電極１１１の表面で、開口部１２１から外部の露出する表示領域には保護フィルム１１２が設けられている。ここで、ＰＤＰ電極１１１は、保護フィルム１１２の外周縁から所定寸法だけＰＤＰ１１０の外周縁側に露出し、第一対向面としての電極面１１３を形成している。そして、このＰＤＰ１１０は、ＰＤＰ電極１１１に接続される図示しない処理部の制御により画像を表示する。
【００１４】
シャーシ１３０は、導電性を有する材料により、ここでは図示しないが例えば上面が開口された略箱状に形成されている。このシャーシ１３０は、フロントケース１２０の内部に配置され、接地されている。また、このシャーシ１３０は、ＰＤＰ１１０の電極面１１３に対向する第二対向面としての接地電極面１３１を備えている。また、シャーシ１３０には、ＰＤＰ１１０を取り付ける図示しないＰＤＰ取付部、処理部が設けられた回路基板を取り付ける図示しない基板取付部などを備え、ＰＤＰ１１０や回路基板などがこれらの取付部に固定されている。
【００１５】
ガスケット２００は、断面略Ｌ字状で、フロントケース１２０の開口部１２１に沿う長手状に形成されている。このガスケット２００は、フロントケース１２０の開口部１２１の全周に亘って配置されている。そして、このガスケット２００は、図２に示すように、本体部２１０と、本体部２１０の一端側から立ち上がる突出部２２０と、導電繊維部材２３０と、を備えている。また、ガスケット２００は、本体部２１０がＰＤＰ１１０の電極面１１３およびシャーシ１３０の接地電極面１３１に挟み込まれる状態で、かつ突出部２２０の突出先端部２２１がフロントケース１２０の内面１２４とＰＤＰ１１０に挟み込まれる状態で取り付けられている。
【００１６】
本体部２１０は、弾性を有し、導電性を有しない例えば合成樹脂によりスポンジ状に、かつ略板状に形成されている。この本体部２１０は、ＰＤＰ１１０に対向するＰＤＰ側面２１１と、シャーシ１３０に対向するシャーシ側面２１２と、突出部２２０が設けられる一端側とは反対側で、ＰＤＰ側面２１１およびシャーシ側面２１２に隣接する接続面２１３と、を備えている。ＰＤＰ側面２１１は、接続面２１３と隣接する一端側から、突出部２２０が設けられる他端側に亘って断面略円弧状に形成されるとともに、中心部がＰＤＰ１１０側に円弧状に突出する凸部２１１Ａを備えている。この凸部２１１Ａは、ガスケット２００を設置する際に、ＰＤＰ１１０の電極面１１３に押圧されて弾性変形する。また、上記のように、本体部２１０は、弾性を有するスポンジ状部材にて形成されているため、凸部２１１Ａが押圧されて弾性変形すると、反力により、ＰＤＰ側面２１１およびシャーシ側面２１２をそれぞれ電極面１１３および接地電極面１３１側に付勢する。これにより、本体部２１０のＰＤＰ側面２１１およびシャーシ側面２１２が電極面１１３および接地電極面１３１に押し付けられて密着性が向上する。なお、凸部２１１Ａの形状は、上記のような略円弧状に限らず、その他の自由曲面形状に突出するものであってもよく、ＰＤＰ側面２１１の接続面２１３と隣接する一端側から、突出部２２０が設けられる他端側に亘る一部がＰＤＰ１１０側に突出する形状であってもよい。
【００１７】
突出部２２０は、ガスケット２００の長手方向に沿う本体部２１０の接続面２１３とは反対側の一端縁に設けられている。この突出部２２０は、本体部２１０と同一素材、すなわち、弾性を有するスポンジ状部材にて、本体部２１０と一体的に形成されている。この突出部２２０の突出先端部２２１は、フロントケース１２０の内面１２４に対向する略平面状のケース当接面２２１Ａを備えている。そして、ガスケット２００の取り付け時に、この突出先端部２２１のケース当接面２２１Ａがフロントケース１２０の内面１２４に当接する。これにより、例えばフロントケース１２０の取り付け時に、フロントケース１２０がＰＤＰ１１０側に押し込まれても、弾性を有する突出部２２０の付勢力によりフロントケース１２０を押し返すことが可能となり、開口部１２１のフランジ部１２２がＰＤＰ１１０の表面に接触するのを防止する。なお、突出先端部２２１のケース当接面２２１Ａは、上記のような略平面状に限らず、例えば円弧状や波形形状など、他の形状であってもよい。
【００１８】
また、突出部２２０には、ケース当接面２２１Ａのシャーシ側面２１２が設けられる側とは反対側となる側面に、装飾面２２２が形成されている。この装飾面２２２は、ガスケット２００をフロントケース１２０およびＰＤＰ１１０の間に挟みこんだ際に、ＰＤＰ１１０とフランジ部１２２との隙間から視認可能な部位であり、例えばフロントケース１２０の色彩と同一色彩に着色されている。なお、装飾面２２２をフロントケース１２０と同一色彩に着色する例を示したが、これに限らず、他の色に着色されていてもよく、また、ガスケット２００を形成するスポンジ状部材の成形時に着色料を添加してフロントケース１２０と調和する色彩にする構成としてもよい。
【００１９】
導電繊維部材２３０は、導電性および可撓性を有する繊維により帯状に形成された帯状導電可撓部材２３１により、本体部２１０のＰＤＰ側面２１１、本体部２１０の接続面２１３、および本体部２１０のシャーシ側面２１２を覆うことで形成されている。この導電繊維部材２３０において、本体部２１０のＰＤＰ側面２１１、およびシャーシ側面２１２を覆う部分が本発明の導電可撓部を構成し、本体部２１０の接続面２１３に覆われる部分が本発明の接続部を構成する。この導電繊維部材２３０は、例えば接着剤などにより本体部２１０に貼付されている。また、シャーシ側面２１２に貼り付けられる導電繊維部材２３０には、ガスケット２００の長手方向に沿って、接着部２３２が設けられている。この接着部２３２は、シャーシ１３０の接地電極面１３１に貼り付けられ、ガスケット２００をシャーシ１３０に固定する。
【００２０】
〔ガスケットの取り付け動作〕
次に、ガスケット２００の取り付け動作について説明する。
【００２１】
まず、ガスケット２００を、シャーシ１３０の接地電極面１３１に固定する。すなわち、ガスケット２００の本体部２１０のシャーシ側面２１２に貼付された接着部２３２をシャーシ１３０の接地電極面１３１に接着する。この時、図１に示すように、ガスケット２００の突出部２２０の本体部２１０側の側面がシャーシ１３０の端縁部１３２に当接するとともに、突出部２２０がシャーシ１３０の端縁部１３２からフロントケース１２０側に突出するようにガスケット２００を取り付ける。
【００２２】
次に、ＰＤＰ１１０を、図１に示すように、ＰＤＰ電極１１１の電極面１１３がシャーシ１３０の接地電極面１３１に対向するようにして、ＰＤＰ取付部に取り付ける。この時、ＰＤＰ１１０の電極面１１３でガスケット２００をシャーシ１３０に押し付けて、ガスケット２００の本体部２１０のＰＤＰ側面２１１に設けられる凸部２１１Ａを押しつぶすようにしてＰＤＰ１１０を取り付ける。これにより、ガスケット２００の凸部２１１Ａがシャーシ側面２１２側に撓み、本体部２１０の弾性力により、ＰＤＰ側面２１１が電極面１１３側に、またシャーシ側面２１２が接地電極面側に付勢される。したがって、ＰＤＰ側面２１１およびシャーシ側面２１２に貼付された導電繊維部材２３０がそれぞれ電極面１１３および接地電極面１３１に良好に密着する。
【００２３】
この後、シャーシ１３０をフロントケース１２０に取り付ける。この時、ＰＤＰ１１０とフロントケース１２０のフランジ部１２２の先端との間に所定の隙間１２３が設けられるように、ガスケット２００の突出部２２０の突出先端部２２１をフロントケース１２０の内面１２４に当接させる。これにより、フロントケース１２０が取り付け時の衝撃などによりＰＤＰ１１０側に湾曲しても、突出部２２０にてフロントケース１２０の内面１２４を押し返してフランジ部１２２の先端がＰＤＰ１１０に接触することがない。
【００２４】
〔ＰＤＰ表示装置の作用効果〕
上述したように、上記実施形態のＰＤＰ表示装置１００では、ガスケット２００は、ＰＤＰ１１０の電極面１１３に対向するＰＤＰ側面２１１、およびシャーシ１３０の接地電極面１３１に対向するシャーシ側面２１２を備えた本体部２１０と、この本体部２１０の一端側からフロントケース１２０の内面１２４側に立ち上がる突出部２２０とを備えている。そして、本体部２１０には、ＰＤＰ側面２１１、接続面２１３、およびシャーシ側面２１２を覆う連続形成された導電繊維部材２３０が設けられている。
【００２５】
このため、ＰＤＰ側面２１１をＰＤＰ１１０の電極面１１３に当接させて、シャーシ側面２１２をシャーシ１３０の接地電極面１３１に当接させることで、導電繊維部材２３０を介してＰＤＰ電極１１１と、シャーシ１３０の接地電極面１３１を電気的に接続することができる。したがって、ＰＤＰ１１０を接地することができ、ＰＤＰ１１０にて生じる電磁波を良好に除去することができる。
【００２６】
また、ガスケット２００の本体部２１０に突出部２２０が一体化されて設けられ、フロントケース１２０とＰＤＰ１１０との間にこの突出部２２０が設けられている。このため、突出部２２０の突出先端部２２１がフロントケース１２０の内面１２４に当接されることで、フロントケース１２０の位置を規制することができる。すなわち、フロントケース１２０がＰＤＰ１１０に近接した場合でも、突出部２２０の突出先端部２２１がフロントケース１２０の内面１２４に当接し、フロントケース１２０を外方に付勢するため、フランジ部１２２の先端がＰＤＰ１１０の表面に接触することがなく、フロントケース１２０とＰＤＰ１１０との接触によるＰＤＰ１１０の損傷や、異音などを防止することができる。
【００２７】
さらに、フロントケース１２０の移動を規制する他のクッションゴムなどの緩衝部材が不要となり、部品点数を削減することができる。さらには、このようなクッションゴムが不要となるため、フロントケース１２０のフランジ部１２２をシャーシ１３０側に近接させることができ、開口部１２１の開口面積を大きくすることができる。よって、ＰＤＰ１１０の表示領域をより大きくすることができ、フロントケース１２０を小型化することもできる。よって、ＰＤＰ表示装置１００のデザイン性を向上させることができる。
【００２８】
また、ガスケット２００の突出部２２０の側面に装飾面２２２が設けられている。このため、装飾面２２２を例えばフロントケース１２０の色彩に対応して略同一色に装飾することで、フロントケース１２０のフランジ部１２２とＰＤＰ１１０との間の隙間１２３から視認可能な部分の外観を良好にすることができる。
【００２９】
さらに、ガスケット２００の本体部２１０のＰＤＰ側面２１１には、ＰＤＰ１１０に向かって突出する凸部２１１Ａが設けられている。このため、この凸部２１１Ａでは、厚み寸法が大きく肉厚になる。したがって、ガスケット２００の取り付け時に、ＰＤＰ１１０を押し付けてこの凸部２１１Ａの肉厚部分を押圧することで、本体部２１０を容易に変形することができる。よって、ガスケット２００の取り付け時に、過剰な力を加えなくとも容易にガスケット２００を弾性変形させることができるため、ＰＤＰ１１０の損傷を防止することができ、組み立て性をも良好にすることができる。
【００３０】
さらに、本体部２１０は、弾性を有するスポンジ状部材にて形成されているので、凸部２１１Ａを押圧して押しつぶすことで、ＰＤＰ側面２１１およびシャーシ側面２１２を外方に押し戻す付勢力が生じる。したがって、ＰＤＰ側面２１１とＰＤＰ１１０の電極面１１３との密着性、およびシャーシ側面２１２とシャーシ１３０の接地電極面１３１との密着性を良好にすることができ、ＰＤＰ１１０とシャーシ１３０とを良好に電気的に接続することができる。よって、ＰＤＰ１１０の接地精度が向上し、ＰＤＰ１１０にて発生する電磁波を良好に除去することができる。
【００３１】
そして、ガスケット２００は、本体部２１０と突出部２２０とが一体形成されているため、ガスケット２００の製造が容易で、製造コストも低減することができる。
【００３２】
また、導電繊維部材２３０は、ＰＤＰ側面２１１、接続面２１３、およびシャーシ側面２１２を覆う帯状導電可撓部材２３１により、一体形成されている。したがって、帯状導電可撓部材２３１を、本体部２１０のＰＤＰ側面２１１、接続面２１３、およびシャーシ側面２１２を覆って設けるだけで、容易に導電可撓部および接続部を形成することができ、製造性を良好にすることができる。
【００３３】
また、上記のような構成では、ＰＤＰ１１０の表面が開口部から露出されるため、スクリーンフィルタなどを新たに設ける必要がなく、ＰＤＰ表示装置１００の厚み寸法を小さくすることができる。
【００３４】
そして、ガスケット２００は、フロントケース１２０の開口部１２１に沿って、この開口部１２１の全周に亘って設けられている。このため、ＰＤＰ１１０の全周に亘って接地され、ＰＤＰ１１０にて生じる電磁波をより良好に除去することができる。
【００３５】
〔実施形態の変形〕
なお、本発明は、上述した一実施形態に限定されるものではなく、本発明の目的を達成できる範囲で以下に示される変形をも含むものである。
【００３６】
すなわち、ガスケット２００は、本体部２１０と突出部２２０とを同一部材にて一体形成する例を示したが、例えば、別体に設けられたものを一体化する構成としてもよい。この場合、突出部２２０の弾性力を本体部２１０の弾性力よりも大きくすることで、より確実にフロントケース１２０とＰＤＰ１１０との接触を防止することができる。
【００３７】
また、導電繊維部材２３０として、帯状導電可撓部材２３１を本体部２１０のＰＤＰ側面２１１、接続面２１３、シャーシ側面２１２を覆うように設ける構成としたが、これに限らない。例えば、ＰＤＰ側面２１１、およびシャーシ側面２１２に帯状導電可撓部材２３１を設け、これらの帯状導電可撓部材２３１を導電性を有する金属線などで接続する構成としてもよい。さらに、本体部２１０を構成するスポンジ状部材を非導電性としたが、導電性を有するスポンジ状部材を用いて本体部２１０を形成してもよい。この構成では、スポンジ状部材が本発明の導電可撓部および接続部を構成するため、導電繊維部材２３０を設ける必要がなく、ガスケット２００の構成をより簡単にできる。
【００３８】
さらに、ガスケット２００の装飾面２２２は、フロントケース１２０の色彩と略同一色に設けられている構成を示したが、これに限定されず、例えば、ＰＤＰ表示装置１００のデザインに応じて、装飾面２２２に任意の色を着色する構成としてもよい。また、上記したように、ガスケット２００の本体部２１０および突出部２２０を形成するスポンジ状部材を着色する構成としてもよい。
【００３９】
そして、上記実施形態において、本体部２１０のＰＤＰ側面２１１、接続面２１３、およびシャーシ側面２１２に導電繊維部材２３０を設ける構成としたが、ガスケット２００の突出部２２０の突出先端部２２１以外の部分を導電繊維部材２３０で覆う構成としてもよい。この場合、突出部２２０の装飾面２２２に貼付される導電繊維部材２３０を着色する、もしくは導電繊維部材２３０をフロントケース１２０の色彩に対応した色彩に着色することで、隙間１２３から視認される装飾面２２２の外観を良好にすることができる。
【００４０】
なお、突出部２２０の突出先端部２２１をも導電繊維部材２３０にて覆う構成も考えられるが、フロントケース１２０と突出先端部２２１が接触する際にフロントケース１２０が損傷したり、削り粉が発生したりするおそれがある。この場合、突出先端部２２１のケース当接面２２１Ａにフロントケース１２０との摩擦力を低減させて、フロントケース１２０の損傷や削り粉の発生を防止するフィルタなどを設ける構成としてもよい。
【００４１】
また、ガスケット２００の本体部２１０に凸部２１１Ａを設ける構成としたが、凸部２１１Ａが設けられない、すなわち、ＰＤＰ側面２１１とシャーシ側面２１２とが略平行となる形状に形成されていてもよい。この場合、例えばスポンジ状部材をより柔らかい部材にしたり、本体部２１０の厚み寸法を大きくしたりすることで、ＰＤＰ１１０をシャーシ１３０に取り付ける際の損傷を防止することができる。さらに、ガスケット２００のＰＤＰ側面２１１、およびシャーシ側面２１２の双方に凸部を設ける構成としてもよい。
【００４２】
さらには、ガスケット２００のシャーシ側面２１２に貼付される導電繊維部材２３０に接着部２３２を設け、シャーシ１３０にガスケット２００を貼り付けて固定する構成を示したが、例えばＰＤＰ側面２１１に接着部を設け、ＰＤＰ１１０の電極面１１３にガスケット２００を貼り付ける構成としてよい。
【００４３】
また、開口部１２１の全周に亘ってガスケット２００が設けられる構成を示したが、これに限らず、開口部１２１に沿った一部、例えば開口部の四隅にガスケット２００が設けられる構成や、所定間隔おきにガスケット２００が設けられる構成としてもよい。
【００４４】
さらに、ガスケット２００を取り付ける表示装置としては、ＰＤＰ表示装置１００に限らず、音楽や映像を記録したり再生したりする車載型や設置型の記録装置や再生装置あるいは記録再生装置、パーソナルコンピュータ、携帯電話、テレビ装置、ナビゲーション装置などとしてもよい。
【００４５】
〔実施形態の作用効果〕
上述したように、上記実施形態のＰＤＰ表示装置１００では、ガスケット２００は、ＰＤＰ１１０の電極面１１３に対向するＰＤＰ側面２１１、およびシャーシ１３０の接地電極面１３１に対向するシャーシ側面２１２を備えた本体部２１０と、この本体部２１０の一端側からフロントケース１２０の内面１２４側に立ち上がる突出部２２０とを備えている。そして、本体部２１０には、ＰＤＰ側面２１１、接続面２１３、およびシャーシ側面２１２を覆う連続形成された導電繊維部材２３０が設けられている。
【００４６】
このため、ＰＤＰ電極１１１と、シャーシ１３０の接地電極面１３１を電気的に接続することができ、ＰＤＰ１１０にて生じる電磁波を良好に除去することができる。また、突出部２２０の突出先端部２２１がフロントケース１２０の内面１２４に当接されることで、フロントケース１２０がＰＤＰ１１０に近接した場合でも、フロントケース１２０を外方に付勢し、フロントケース１２０とＰＤＰ１１０との接触によるＰＤＰ１１０の損傷や、異音などを防止することができる。さらに、フロントケース１２０の移動を規制する他のクッションゴムなどの緩衝部材が不要となり、部品点数を削減してＰＤＰ表示装置１００の構成を簡単にすることができ、さらには、フロントケース１２０の小型化、および開口部１２１の開口面積の拡大によりＰＤＰ表示領域の拡大化を図ることができる。
【産業上の利用可能性】
【００４７】
本発明は、電気を導通する導通装置を備えた表示装置に関し、特にＰＤＰの電磁波を接地する導通装置を備えた表示装置として利用できる。
【図面の簡単な説明】
【００４８】
【図１】本発明の一実施形態に係るＰＤＰの要部の概略構成を示す断面図である。
【図２】ガスケットの概略構成を示す斜視図である。
【符号の説明】
【００４９】
１００…表示装置としてのＰＤＰ表示装置
１１０…表示部およびディスプレイとしてのＰＤＰ
１１１…表示部接続部材としてのＰＤＰ電極
１１３…第一対向面としての電極面
１２０…ケース体としてのフロントケース
１２１…開口部
１２４…ケース体の一面としての内面
１３０…導電部材としてのシャーシ
１３１…第二対向面としての接地電極面
２００…導通装置としてのガスケット
２１０…本体部?
２２０…突出部
２２１…突出先端部
２２２…装飾面
２３０…導電可撓部、および接続部を構成する導電繊維部材
【国際調査報告】
2007113993.tif 000005
2007113993.tif 000006
2007113993.tif 000007
2007113993.tif 000008